(57)【要約】    【課題】  複数のドラフトローラ対から構成されるドラフト装置を使用するにあたり、各ローラで発生する可能性のある斑の周期が互いに重なり合い難いようにして、製織後の織物表面に視認容易な周期斑を発生させない構成のドラフト装置を提供することである。  【解決手段】  繊維束を下流側に送り込みつつ牽伸する複数のローラ対から構成されるドラフト装置ＤＲであって、隣り合うドラフトローラの回転速度を素の関係とする構成とした。【選択図】    図１
2007182647.tif 000002
【特許請求の範囲】
【請求項１】
繊維束を下流側に送り込みつつ牽伸する複数のローラ対から構成されるドラフト装置であって、
隣り合うドラフトローラの回転速度を素の関係としたことを特徴とするドラフト装置。
【請求項２】
繊維束を下流側に送り込みつつ牽伸する複数のローラ対から構成されるドラフト装置であって、
前記ローラ対の一方のローラが、ローラ軸線に平行に複数の溝を有する溝付ローラであるときに、隣り合うドラフトローラの回転速度比を、それぞれの溝付ローラの溝ピッチが重ならない回転速度比としたことを特徴とするドラフト装置。
【請求項３】
前記ドラフトローラを、それぞれ別の駆動モータで駆動する構成とすると共に、隣り合う駆動モータの回転数を素の関係としたことを特徴とする請求項１または２に記載のドラフト装置。
【請求項４】
前記ドラフトローラにプーリを装着して、複数のドラフフトローラを同一の駆動モータにより伝動ベルトを介して一体的に駆動する構成とすると共に、隣り合うドラフフトローラのプーリ歯数を互いに素としたことを特徴とする請求項１または２に記載のドラフト装置。
【請求項５】
前記ドラフト装置が４線式のドラフト装置であって、フロントローラとミドルローラとサードローラとバックローラとを備えていると共に、前記サードローラと前記バックローラとを一本の伝動ベルトで駆動し、それぞれのローラに装着するプーリの歯数を互いに素としたことを特徴とする請求項４に記載のドラフト装置。
【請求項６】
前記ドラフト装置が旋回気流を作用させて紡績糸を紡出する空気紡績部を備える紡績機に適用されるローラドラフト装置であることを特徴とする請求項１から５のいずれかに記載のドラフト装置。
【発明の詳細な説明】
【技術分野】
【０００１】
本発明は、繊維束（スライバともいう）を牽伸（ドラフトともいう）しながら送り出すドラフトローラを備えるドラフト装置に関するものである。
【背景技術】
【０００２】
従来、ドラフト装置としては、スライバをニップして下流側に送り込みつつ牽伸する複数のローラ対にて構成されるローラドラフト装置が知られている。
【０００３】
また、前記ローラドラフト装置は、それぞれトップローラとボトムローラとのローラ対がスライバ送り方向に複数配設されていて、各ローラ対の回転速度を段々増加することによってドラフトを行うものであって、各トップローラを一体的に保持してボトムローラと接離自在に支持するドラフトクレードルが配設されている。
【０００４】
上記トップローラはゴムローラあるいはゴムが被覆されるローラであって、ボトムローラは金属製のローラである。またスライバを確実にドラフトするためには、前記ボトムローラとトップローラとの把持力が重要であり、前記ボトムローラを、ローラ軸線に平行に複数の溝を有する溝付ローラとすると共に、金属製のボトムローラにゴム製のトップローラを押圧して当接する構成とされている。
【０００５】
図５に示すトップローラＴＲとボトムローラＢＲからなるローラ対では、前記ボトムローラＢＲが溝付ローラであって、多数の凸部ｂａと凹部ｂｂとを備えている。
【０００６】
そのために、溝付ローラの溝ピッチに応じたドラフト斑を誘発する傾向があり、隣り合うドラフトローラのドラフト率が２倍とか３倍とかの整数倍であれば、上流側のドラフトローラ部にて生じたドラフト斑が、下流側のドラフトローラ部にて強調されていく虞がある。
【０００７】
スライバ（繊維束）をドラフトして紡績糸を製造する紡績装置としては、種々の紡績装置が公知であり、最近では、中空ガイド軸体（中空スピンドル）と紡績ノズルを備えて３００ｍ／分以上の高速で紡績可能な紡績装置を備える紡績機も知られている。このような最近の紡績機等に代表される、スライバを高速で送り込み延伸して紡績を行う高速紡績機においては、ドラフト率も高くなってきており、スライバを送り込むバックローラと、ドラフト終端の送出しローラであるフロントローラとの周速比つまりトータルドラフト率は１００〜２５０倍程度となっている。
【０００８】
そのために、粗糸をドラフトして紡績を行う従来のリング紡績機では３線式のローラドラフト装置を用いてトータルドラフト率３０倍程度であったものが、スライバから直接紡績糸を紡績する最近の高速紡績機の高ドラフト率に伴い、フロントローラとミドルローラとサードローラとバックローラとを備える４線式のローラドラフト装置が適用されてきている。
【０００９】
さらに、スライバや紡績糸の送り速度の高速化に伴い、ドラフトローラの回転数も飛躍的に増大してきている。そのために、それぞれのドラフトローラをそれぞれ別の可変速の駆動モータを介して駆動する構成とし、回転速度を任意に設定可能としたドラフト装置も知られている。
【００１０】
また、フロントローラとミドルローラ間では公知のエプロンドラフトを行うために、そのドラフト率は３０〜５０倍程度が可能である。さらに、エプロンを用いずにローラドラフトを行うミドルローラとサードローラ間のドラフト率、もしくはサードローラとバックローラ間のドラフト率は１．５〜３倍程度としている。
【００１１】
そのために、ドラフト率の小さいミドルローラとサードローラ間のドラフト、もしくはサードローラとバックローラ間のドラフトは、所定のドラフト率を規定する歯数のプーリを同一の駆動モータを介して回転駆動することが可能となる。また、本出願人からも、同一のモータにより一定の速度比率で駆動するとしたドラフト装置が既に出願されている（例えば、特許文献１参照）。
【特許文献１】実開平５−２７０５７号公報（第１−６頁、第１図）
【発明の開示】
【発明が解決しようとする課題】
【００１２】
複数のドラフトローラ対から構成されるドラフト装置の各々のドラフト領域においては、それぞれのローラを回転させるプーリ部品の偏芯や、歯型のピッチの周期的変化に起因する回転斑や、歯付きベルト等の伝動ベルトの張りの変動による回転斑により、糸の周期斑が発生することがある。
【００１３】
また、溝付ローラによりドラフトを行う場合には、前述した通り、その溝ピッチ毎にドラフト斑を誘発する虞があり、さらに隣り合うドラフトローラ間にて、その斑を強調していく虞もある。
【００１４】
いずれの場合であっても、各ローラで発生する可能性のある周期斑が互いに整数倍である場合、その最小公倍数で前記周期斑が強められることがある。糸に周期的な斑が生じると、製織時の布表面にその斑が特徴的に発現し、外観不良の布製品となる。
【００１５】
さらに、ドラフト率を所定値に固定するとした同一の駆動モータによる場合には、プーリの歯数を所定の整数倍（例えば１．５倍や２倍）としておくことが一般であり、この状態のままでは、頻繁にドラフト斑を生じる危険がある。
【００１６】
つまり、従来のドラフト装置では、それぞれのプーリの部品精度を高めるだけでなく、伝動ベルトの品質や張り具合等の調整にも細心の注意を払う必要があった。
【００１７】
本発明の目的は、複数のドラフトローラ対から構成されるドラフト装置を使用するにあたり、各ローラで発生する可能性のある斑の周期が互いに重なり合い難いようにして、製織後の織物表面に視認容易な周期斑を発生させない構成のドラフト装置を提供することである。
【課題を解決するための手段】
【００１８】
上記の目的を達成するために請求項１に係る発明は、繊維束を下流側に送り込みつつ牽伸する複数のローラ対から構成されるドラフト装置であって、隣り合うドラフトローラの回転速度を素の関係としたことを特徴としている。
【００１９】
上記の構成を有する請求項１に係る発明によれば、ドラフト率を規定するドラフトローラの回転速度を素の関係としているので、隣り合うドラフトローラ間のドラフト率を、周期斑が重ならない範囲とし、周期斑を発生しないドラフト装置を構成することができる。
【００２０】
請求項２に係る発明は、繊維束を下流側に送り込みつつ牽伸する複数のローラ対から構成されるドラフト装置であって、前記ローラ対の一方のローラが、ローラ軸線に平行に複数の溝を有する溝付ローラであるときに、隣り合うドラフトローラの回転速度比を、それぞれの溝付ローラの溝ピッチが重ならない回転速度比としたことを特徴としている。
【００２１】
上記の構成を有する請求項２に係る発明によれば、溝付ローラを用いてドラフトを行う紡績装置であっても、溝ピッチが重ならない構成とすることで、周期斑を強調しないドラフト装置を構成することができる。
【００２２】
請求項３に係る発明は、前記ドラフトローラを、それぞれ別の駆動モータで駆動する構成とすると共に、隣り合う駆動モータの回転数を素の関係としたことを特徴としている。
【００２３】
上記の構成を有する請求項３に係る発明によれば、隣り合うドラフトローラの回転数が素の関係であるので、連続してドラフトするローラの周期斑が互いに重なり合わず、製織後の織物表面に周期斑を発生しないドラフト装置を構成することができる。
【００２４】
請求項４に係る発明は、前記ドラフトローラプーリを装着して、複数のドラフフトローラを同一の駆動モータにより伝動ベルトを介して一体的に駆動する構成とすると共に、隣り合うドラフフトローラのプーリ歯数を互いに素としたことを特徴としている。
【００２５】
上記の構成を有する請求項４に係る発明によれば、同一の駆動モータにより伝動ベルトを介して複数のドラフトローラを一体的に駆動しても、隣り合うドラフトローラの回転数を素の関係としているので、それぞれのドラフトローラに周期的な斑を生じる欠陥がある場合でも、それらの周期が短周期では一致せず、視認容易な周期的な斑を発現しないドラフト装置を構成することができる。
【００２６】
請求項５に係る発明は、前記ドラフト装置が４線式のドラフト装置であって、フロントローラとミドルローラとサードローラとバックローラとを備えていると共に、前記サードローラと前記バックローラとを一本の伝動ベルトで駆動し、それぞれのローラに装着するプーリの歯数を互いに素としたことを特徴としている。
【００２７】
上記の構成を有する請求項５に係る発明によれば、ドラフト率が１．５〜３倍程度のサードローラとバックローラ間で、周期的な斑を生じないドラフト装置を構成することができる。
【００２８】
請求項６に係る発明は、前記ドラフト装置が旋回気流を作用させて紡績糸を紡出する空気紡績部を備える紡績機に適用されるローラドラフト装置であることを特徴としている。
【００２９】
上記の構成を有する請求項６に係る発明によれば、高速紡績が可能な空気紡績機において、高速で高倍率なドラフトを行う際であっても、ドラフト斑の生じ難いドラフト装置とすることができる。
【発明の効果】
【００３０】
上記説明したように本発明によれば、複数のドラフトローラ間のそれぞれの回転速度を素の関係としているので、視認容易な周期斑が発生しない範囲とすることができる。さらに、同一の駆動モータにより伝動ベルトを介して複数のドラフトローラを駆動するローラドラフト装置であっても、それぞれのプーリ歯数を互いに素とすることで、前後一対のドラフトローラの回転数を素の関係とする構成とし、それぞれのドラフトローラに周期的な斑を生じる欠陥がある場合でも、それらの周期が短い周期で一致せず、周期的な斑を発現しない。
【発明を実施するための最良の形態】
【００３１】
以下、本発明に係るドラフト装置の実施の形態について、図１から図５に基づいて詳細に説明する。
【００３２】
先ず、本発明が適用される紡績機Ｍについて図４により説明する。本紡績機Ｍは紡績ユニットＵが多数配列された構成となっており、スライバＬがドラフト装置ＤＲに送られ紡績部Ｓｐにより紡績糸Ｙに形成された後、該紡績糸ＹはニップローラＲｎ及びスラブキャッチャーＺ等を経て巻取部ＷＲに巻き取られ、パッケージＰＷを形成する。Ｐは糸継ぎを行う糸継装置であり、紡績機Ｍの長手方向に沿って紡績機Ｍの内部下方を走行するように構成されている。
【００３３】
また、図３に示すように各紡績ユニットＵは、機台後部に配置されたケンスＫ内に収納されているスライバＬがガイドＧを経て、トランペットＴを挿通しドラフト装置ＤＲに搬送された後、段々送り速度が速くなるローラドラフト部を通過して所定細さに牽伸され、紡績部Ｓｐにより紡績糸Ｙとなり、機台前面の巻取部ＷＲに巻き取られ、パッケージＰＷを形成する構成である。
【００３４】
前記紡績部Ｓｐは紡績速度が３００ｍ／分以上の高速紡績が可能な、紡績ノズルと中空ガイド軸体とを備える空気紡績装置から形成されているが、これに限定されるものではなく、２段の空気紡績ノズルを備える紡績装置でもよい。また、紡績ノズルと一対の加然ローラとを備える、紡績速度が数百ｍ／分の高速紡績が可能な紡績装置であってもよい。
【００３５】
さらには、高速ドラフトを行うその他の精紡機や粗紡機や練条機等のドラフト装置に本発明を適用することが可能である。
【００３６】
次に、本発明に係るドラフト装置の実施の形態について図１および図２より説明する。
【００３７】
図１に示す第一の実施形態のドラフト装置ＤＲは、バックローラＲｂ，サードローラＲｔ，エプロンベルトＥを有するミドルローラＲｍ、及びフロントローラＲｆから構成される所謂４線式のドラフト装置であって、それぞれ上下一対のローラが送り方向に沿って配置される構成である。
【００３８】
前記ドラフト装置ＤＲは、スライバを挿通するガイドであるトランペットＴを経て供給されるスライバＬを所定の細さに引き伸ばす装置であって、各ローラの回転速度を、上流側から下流側に向かって段々増加しながらスライバＬを送ることによってドラフトを行う。所定の細さにドラフトされたスライバＬは、紡績部Ｓｐに供給され、該紡績部Ｓｐにおいて紡績糸Ｙに形成される。
【００３９】
また、各ローラを構成している上下一対のローラはそれぞれ、紡績機の本体フレーム側に配設された下部ローラとなるボトムローラと、該ボトムローラと接離自在に構成されるトップローラとで構成されている。
【００４０】
つまり、フロントローラＲｆはフロントトップローラＲｆ１とフロントボトムローラＲｆ２とから成り、ミドルローラＲｍはミドルトップローラＲｍ１とミドルボトムローラＲｍ２とから成り、サードローラＲｔはサードトップローラＲｔ１とサードボトムローラＲｔ２とから成り、バックローラＲｂはバックトップローラＲｂ１とバックボトムローラＲｂ２とから成っている。
【００４１】
また、本体フレーム側に配設されるそれぞれのボトムローラが駆動ローラとされておりそれぞれあるいは共通の駆動源を備えている。例えば、バックボトムローラＲｂ２とサードボトムローラＲｔ２とを駆動モータＭ１で駆動し、ミドルボトムローラＲｍ２を駆動モータＭ２で駆動し、フロントボトムローラＲｆ２を駆動モータＭ３で駆動する構成としている。
【００４２】
前述したように、ドラフト装置ＤＲにより、スライバＬを所定の細さまで引き伸ばして（ドラフトして）所定太さの紡績糸Ｙを紡績するので、前記フロントボトムローラＲｆ２の回転速度はそのドラフトされる割合（ドラフト率）に応じて、前記バックボトムローラＲｂ２の回転速度の１００〜２５０倍程度の高速となっている。
【００４３】
また、フロントローラＲｆとミドルローラＲｍ間では公知のエプロンドラフトを行うために、そのドラフト率は３０〜５０倍程度が可能である。さらに、エプロンＥを用いずにローラドラフトを行うミドルローラＲｍとサードローラＲｔ間のドラフト率、もしくはサードローラＲｔとバックローラＲｂ間のドラフト率は１．５〜３倍程度としている。
【００４４】
そのために、例えば、バックボトムローラＲｂ２とサードボトムローラＲｔ２とに一本の伝動ベルト（歯付きベルト）ＴＢを掛け渡して、同一の駆動モータＭ１で駆動することが可能となる。例えば、ドラフト率を２倍とすると、バックボトムローラＲｂ２に装着するプーリ（歯付きプーリ）ＴＰ１の歯数を２０とし、サードボトムローラＲｔ２に装着するプーリ（歯付きプーリ）ＴＰ２の歯数を１０とすればよい。また、ドラフト率を３倍とする場合は、プーリＴＰ１の歯数を３０とし、プーリＴＰ２の歯数を１０とすればよい。
【００４５】
しかし、ドラフト率が２倍とか３倍のように、比較的小さな公倍数を有する割合のプーリ歯数を使用したドラフト装置では、ローラの数回転毎に周期が一致することになる。回転周期が一致すると、その周期毎に特定の斑（プーリ部品のそれぞれの偏芯や歯型の微妙な差に起因する斑が、歯付きベルト等の伝動ベルトの張りが変動することにより生ずる斑）が発生する虞がある。
【００４６】
それぞれのローラの回転周期を一致させないためには、互いの回転速度を素の関係とすればよく、共通の駆動モータで伝動ベルトを介して駆動する場合には、それぞれのプーリ歯数を素の関係とすればよい。
【００４７】
そのために本実施の形態では、前記プーリＴＰ１と前記プーリＴＰ２との歯数を互いに素としている。例えば、プーリＴＰ２の歯数を１０とし、プーリＴＰ１の歯数を１９もしくは２１とした。
【００４８】
つまり、プーリＴＰ１の歯数が１９の場合は、プーリＴＰ２を装着しているサードボトムローラＲｔ２が１９０回転毎の長いスパンで周期が合うことになり、頻繁に生じる短い周期とならず、糸斑の原因とはならない。
【００４９】
また、プーリＴＰ１の歯数が２１の場合は、プーリＴＰ２を装着しているサードボトムローラＲｔ２が２１０回転毎の長いスパンで周期が合うことになり、頻繁に生じる短い周期とならず、同様に糸斑の原因とはならない。
【００５０】
これが、もし、プーリＴＰ１の歯数が２０の場合は、歯数１０のプーリＴＰ２を装着しているサードボトムローラＲｔ２が２回転毎に周期が合うことになり、短い周期で頻繁に周期斑が生じることになる。そのために、その後数十倍にドラフトを行い紡績糸を製造しても、その斑が視認可能となり、織物を製織した際に欠陥を生じる虞となる。
【００５１】
プーリＴＰ２の歯数を１０とし、プーリＴＰ１の歯数を１９もしくは２１とするとは、前記サードローラＲｔに装着するプーリの歯数をＮとしたときに、前記バックローラＲｂに装着するプーリＴＰ１の歯数を２Ｎ±１とすることである。
【００５２】
そのために、プーリＴＰ２の歯数が１２であれば、プーリＴＰ２の歯数は２３もしくは２５となり、それぞれ互いに素の歯数となる。また、その合致する周期は、１２×２３＝２７６回転、１２×２５＝３００回転となり、さらにミドルローラＲｍとフロントローラＲｆによりドラフトを行うので、その周期斑はいっそう生じ難くなる。
【００５３】
さらに、サードローラＲｔとバックローラＲｂ間のドラフト率が元々３倍程度である場合には、前記バックローラＲｂに装着するプーリＴＰ１の歯数を３Ｎ±１とするとよい。つまり、プーリＴＰ２の歯数を１０としたときに、プーリＴＰ１の歯数は２９もしくは３１となり、互いに素の関係となる。
【００５４】
上記の、２Ｎ±１もしくは３Ｎ±１の関係となる歯数のプーリを採用すれば、元々１０〜２０程度の歯数のプーリを装着するドラフトローラにおいては、それぞれ互いに素の歯数関係となるので、視認できる斑は発生せず好適である。
【００５５】
所定の太さのスライバＬをドラフトし、所定糸番手の紡績糸Ｙを製造する際のトータルドラフトは予め所定数値に定められる。そのために、バックローラＲｂとサードローラＲｔ間のドラフト率をある歯数比として定めた場合は、その他の、例えばミドルローラＲｍとサードローラＲｔ間のドラフト率を、もしくは、ミドルローラＲｍとフロントローラＲｆ間のドラフト率を変化すればよい。また、前記ミドルローラＲｍとフロントローラＲｆとはそれぞれ単独の駆動モータを採用しているので、ドラフト率の設定は容易である。
【００５６】
上記のように、前記バックローラＲｂに装着するプーリの歯数を２Ｎ±１もしくは３Ｎ±１とすると、サードローラＲｔに装着するプーリが通常のプーリ歯数である１０以上のときに、バックローラＲｂの歯数を互いに素の歯数として、前記サードローラＲｔと前記バックローラＲｂとの回転数を素の関係とすることができる。
【００５７】
上記の構成はバックローラＲｂとサードローラＲｔとの間には限定されず、同様にドラフト率が１．５〜３倍程度のサードローラＲｔとミドルローラＲｍとの間でも適用可能である。さらには、ギヤ伝達を行うその他の伝達機構部にも適用可能であり、周期斑の発生を防止したい機構全般に適用することができる。つまり、それぞれのドラフトローラの回転数を素の関係とすることで、複数のドラフトローラ間のそれぞれのドラフト率を、周期斑が重ならない範囲としてドラフト斑の発生を防止することができる。
【００５８】
また、それぞれのローラをそれぞれ別の駆動モータ、例えば単独モータでそれぞれ駆動する場合は、それぞれのモータ回転数を素の関係とすればよく、この構成のドラフト装置について図２より説明する。
【００５９】
図２に示す第二の実施形態のドラフト装置ＤＲは、それぞれのローラをそれぞれ別の駆動モータで駆動する例であって、バックローラＲｂを駆動モータＭ１Ａで駆動し，サードローラＲｔを駆動モータＭ１Ｂで駆動し，エプロンベルトＥを有するミドルローラＲｍを駆動モータＭ２で駆動し、フロントローラＲｆを駆動モータＭ３で駆動する構成の４線式のドラフト装置である。
【００６０】
上記の構成の場合では、それぞれの駆動モータを個別のインバータ等（不図示）で制御して、それぞれのモータ回転数を素の関係となるようにすればよい。
【００６１】
例えば、バックローラＲｂの回転数が２０ｒｐｍの時に、サードローラＲｔの回転数を４０ｒｐｍではなく、４１もしくは４３ｒｐｍに設定することで、バックローラＲｂとサードローラＲｔとの回転数を素の関係にすることができ、紡績する糸Ｙに周期的な斑が生じなくなる。
【００６２】
紡績糸Ｙに周期的な糸斑が生じると、その糸を経糸あるいは緯糸として織物を製織したときに、織物の表面に微妙な縞状の、あるいは濃淡の斑として発現し、織物の品質を不良とすることがある。そのためには、周期的なドラフト斑を低減することが肝要であり、本実施の形態に係るドラフト装置によれば、各ドラフトローラの回転周期を積極的にずらすことで、周期斑を視認し難くする構成となり、高倍率のドラフトを行う高速精紡機にとって非常に有効な手段を提供する。
【００６３】
特に、繊維長を一定にカットした原料（等長カット）をドラフトして紡績すると、ドラフトローラの周期的な変動により、糸の周期斑が発生しやすいが、それぞれのドラフトローラの周速比を短い周期で一致しない構成とすることで、製織した際の布表面に現出する斑の発生を防止することができる。
【００６４】
また、それぞれのローラ対が図５に示すような溝付ローラを用いたドラフトローラの場合には、溝の凸部ｂａ部がゴム製ローラであるトップローラＴＲと当接する毎にドラフト力を発揮し、溝付ローラの溝ピッチ毎のドラフト斑を誘発することになる。
【００６５】
例えば、サードローラＲｔとバックローラＲｂ間のドラフト率を２倍、トータルドラフトを１５０倍とし、ローラの直径を共に２５ｍｍ、溝数を９０（ローレット数ともいう）としたときに、サードローラＲｔとバックローラＲｂの周期斑がそれぞれ、６５．４ｍｍと１３０．９ｍｍであった。つまり、その最小公倍数１３０．９ｍｍで互いの周期斑が強調される状態であった。しかし、それぞれの回転数を互いに素の関係、例えば２５：１１とし、ドラフト率を２．２７倍とすると、その周期斑は、５７．６ｍｍと１３０．９ｍｍとなった。つまり、その周期斑は５７．６×１３０．９＝７５４０ｍｍ（７．５４ｍ）毎に強調されることになり、織物としたときに明瞭な斑は現出されなかった。
【００６６】
上記したように、本発明に係るドラフト装置は、溝付ローラを用いたドラフトローラであっても、それぞれのドラフトローラの回転数を素の関係とすることで、複数のドラフトローラ間のそれぞれのドラフト率を、周期斑が発生しない範囲とすることができる。
【００６７】
さらに、隣り合うドラフトローラの回転数を素の関係とすることで、連続してドラフトを行う際に、それぞれの周期斑が同期しなくなり、明瞭な斑とはならい。
【００６８】
また、同一の駆動モータにより伝動ベルトを介して複数のドラフトローラを駆動する場合であっても、それぞれのプーリ歯数を互いに素とすることで、前後一対のドラフトローラの回転数を素の関係とする構成とし、高速度で高倍率にドラフトしながら紡績する際にも、ドラフト斑が生じ難いドラフト装置となり、スライバを直接ドラフトして高速紡績を行う空気精紡機のドラフト装置に好適に適用可能となる。
【図面の簡単な説明】
【００６９】
【図１】本発明に係るドラフト装置の第一の実施形態を示す概略側面図である。
【図２】本発明に係るドラフト装置の第二の実施形態を示す概略側面図である。
【図３】本発明に係るドラフト装置を備える紡績機の全体断面図である。
【図４】紡績機の全体を示す正面図である。
【図５】溝付ローラを備えるローラ対の一例を示す斜視図である。
【符号の説明】
【００７０】
ＤＲ  ドラフト装置
Ｒｂ  バックローラ
Ｒｂ２  バックボトムローラ
Ｒｔ  サードローラ
Ｒｔ２  サードボトムローラ
Ｌ  スライバ
Ｙ  紡績糸
Ｍ１  駆動モータ
ＴＢ  伝動ベルト（歯付きベルト）
ＴＰ１、ＴＰ２  プーリ（歯付きプーリ）
【図１】
2007182647.tif 000003
【図２】
2007182647.tif 000004
【図３】
2007182647.tif 000005
【図４】
2007182647.tif 000006
【図５】
2007182647.tif 000007